(57)【要約】【課題】ＩＣタグに誤った情報が書き込まれることを防止した上で、円滑にＩＣタグへの情報の書き込みを行う。【解決手段】プリンター１は、ＩＣタグが間隔を開けて連続して搭載された媒体が装着可能に構成されており、ＩＣタグと無線通信するタグ読書装置４６と、媒体を搬送する搬送部５２と、これらを制御する制御部５４と、を備え、制御部５４は、１のＩＣタグに情報を書き込んだ後、次のＩＣタグをタグ読書装置４６と通信可能な位置に搬送すると共に、当該次のＩＣタグからタグ識別情報を読み出して記憶し、当該次のＩＣタグへ情報を書き込む場合、通信可能なＩＣタグの検出を行い、検出したＩＣタグのタグ識別情報と、記憶したタグ識別情報との照合を行い、照合が成功した場合に、ＩＣタグを、情報の書き込み対象とする。【選択図】図４
2014048771.tif 000002
【特許請求の範囲】
【請求項１】
ＩＣタグが間隔を開けて連続して搭載された媒体が装着可能に構成され、
無線通信により前記媒体のＩＣタグに情報を書き込み、また、前記ＩＣタグから情報を読み出す情報読書部と、
前記媒体を搬送する搬送部と、
前記情報読書部、及び、前記搬送部を制御して、前記媒体を搬送しつつ、前記媒体に搭載された前記ＩＣタグに連続して情報を書き込む制御部と、を備え、
前記制御部は、
前記搬送部を制御して、前記ＩＣタグを前記情報読書部と通信可能な位置に搬送すると共に、当該ＩＣタグからタグ識別情報を読み出して記憶し、
前記ＩＣタグへ情報を書き込む場合、通信可能な前記ＩＣタグの検出を行い、検出した前記ＩＣタグのタグ識別情報と、記憶した前記タグ識別情報との照合を行い、記憶した前記タグ識別情報と一致した前記ＩＣタグを、情報の書き込み対象とすることを特徴とする媒体処理装置。
【請求項２】
前記制御部は、
前記ＩＣタグへ情報を書き込む場合、通信可能な前記ＩＣタグの検出を行い、検出した前記ＩＣタグのタグ識別情報と、記憶した前記タグ識別情報との照合を行い、前記タグ識別情報と一致する前記ＩＣタグが無い場合は、所定の態様で警告を行うことを特徴とする請求項１に記載の媒体処理装置。
【請求項３】
前記制御部は、
通信可能な前記ＩＣタグの検出を行い、１つの前記ＩＣタグが検出された場合に、当該１つのＩＣタグから前記タグ識別情報を読み出して記憶することを特徴とする請求項１又は２に記載の媒体処理装置。
【請求項４】
前記制御部は、
通信可能な前記ＩＣタグの検出を行い、前記ＩＣタグが検出されなかった場合、又は、２つ以上の前記ＩＣタグが検出された場合、所定の態様で警告を行うことを特徴とする請求項３に記載の媒体処理装置。
【請求項５】
装着された前記媒体に搭載された前記ＩＣタグについて、情報の読み書き対象となっている前記ＩＣタグ以外の前記ＩＣタグには、前記情報読書部が送信する無線信号が受信されない構成となっていることを特徴とする請求項１ないし４のいずれかに記載の媒体処理装置。
【請求項６】
ＩＣタグが間隔を開けて連続して搭載された媒体が装着可能に構成され、
無線通信により前記媒体のＩＣタグに情報を書き込み、また、前記ＩＣタグから情報を読み出す情報読書部と、
前記媒体を搬送する搬送部と、を備える媒体処理装置の制御方法であって、
前記ＩＣタグを前記情報読書部と通信可能な位置に搬送すると共に、当該ＩＣタグからタグ識別情報を読み出して記憶し、
前記ＩＣタグへ情報を書き込む場合、通信可能な前記ＩＣタグの検出を行い、検出した前記ＩＣタグのタグ識別情報と、記憶した前記タグ識別情報との照合を行い、記憶した前記タグ識別情報と一致した前記ＩＣタグを、情報の書き込み対象とすることを特徴とする媒体処理装置の制御方法。
【請求項７】
ＩＣタグが間隔を開けて連続して搭載された媒体が装着可能に構成され、
無線通信により前記媒体のＩＣタグに情報を書き込み、また、前記ＩＣタグから情報を読み出す情報読書部と、
前記媒体を搬送する搬送部と、を備える媒体処理装置を制御する制御部により実行されるプログラムであって、
前記制御部に、
前記ＩＣタグを前記情報読書部と通信可能な位置に搬送させると共に、当該ＩＣタグからタグ識別情報を読み出させて記憶させ、
前記ＩＣタグへ情報を書き込ませる場合、通信可能な前記ＩＣタグの検出を行わせ、検出させた前記ＩＣタグの前記タグ識別情報と、記憶させた前記タグ識別情報との照合を行わせ、記憶させた前記タグ識別情報と一致した前記ＩＣタグを、情報の書き込み対象とさせることを特徴とするプログラム。
【発明の詳細な説明】
【技術分野】
【０００１】
本発明は、媒体のＩＣタグに情報を書き込み可能な媒体処理装置、当該媒体処理装置の制御方法、及び、当該媒体処理装置を制御するためのプログラムに関する。
【背景技術】
【０００２】
従来、非接触のＩＣタグ（非接触タグ、ＲＦＩＤタグ）が設けられた媒体（記録媒体、ラベル）に情報を書き込み可能に構成された媒体処理装置（記録装置、ラベルプリンター）が知られている（例えば、特許文献１参照）。
【先行技術文献】
【特許文献】
【０００３】
【特許文献１】特開２００９−８３４５９号公報
【発明の概要】
【発明が解決しようとする課題】
【０００４】
ここで、上述した媒体処理装置のようにＩＣタグに情報を書き込むものでは、ＩＣタグに情報を書き込む際、できるだけ円滑に処理が行われ、完了することが求められる場合がある。例えば、空港で発行されるバゲッジタグについて、実際にバゲッジタグの発行を行う場合、顧客を待たせないという観点から、できるだけ円滑に処理を行ってバゲッジタグを速やかに発行する必要がある。一方で、ＩＣタグに想定していない情報が書き込まれた場合であっても、視認等によって容易に確認することができないため、書き込み対象でないＩＣタグに情報が書き込まれ、ＩＣタグに誤った情報が書き込まれた状態となることを防止する必要がある。
本発明は、上述した事情に鑑みてなされたものであり、ＩＣタグに誤った情報が書き込まれることを防止した上で、円滑にＩＣタグへの情報の書き込みを行うことを目的とする。
【課題を解決するための手段】
【０００５】
上記目的を達成するために、本発明は、ＩＣタグが間隔を開けて連続して搭載された媒体が装着可能に構成され、無線通信により前記媒体のＩＣタグに情報を書き込み、また、前記ＩＣタグから情報を読み出す情報読書部と、前記媒体を搬送する搬送部と、前記情報読書部、及び、前記搬送部を制御して、前記媒体を搬送しつつ、前記媒体に搭載された前記ＩＣタグに連続して情報を書き込む制御部と、を備え、前記制御部は、前記搬送部を制御して、前記ＩＣタグを前記情報読書部と通信可能な位置に搬送すると共に、当該ＩＣタグからタグ識別情報を読み出して記憶し、前記ＩＣタグへ情報を書き込む場合、通信可能な前記ＩＣタグの検出を行い、検出した前記ＩＣタグのタグ識別情報と、記憶した前記タグ識別情報との照合を行い、記憶した前記タグ識別情報と一致した前記ＩＣタグを、情報の書き込み対象とすることを特徴とする。
この構成によれば、ある１のＩＣタグに対して情報を書き込んだ後、次に処理対象となるＩＣタグ（次のＩＣタグ）のタグ識別情報を読み出して記憶しておき、次のＩＣタグへ情報の書き込みを行う場合、通信可能なＩＣタグのタグ識別情報と、事前に記憶したタグ識別情報とが一致する場合は、処理対象とする。このため、次のＩＣタグへの情報の書き込みにあたり、通信可能なＩＣタグが複数検出された場合に、例えば、ユーザーがＩＣタグが複数検出された原因を究明した上で、複数検出された状態を解消してからＩＣタグへの情報の書き込みを開始する、といったことを行うことなく、タグ識別情報が一致するものを対象として、迅速に情報の書き込みを開始することが可能となり、円滑なＩＣタグへの情報の書き込みを実現できる。さらに、次のＩＣタグへの情報の書き込みにあたり、事前に記憶したタグ識別情報との照合を行うため、処理対象ではない誤ったＩＣタグに情報が書き込まれることを防止できる。
【０００６】
また、本発明は、前記制御部は、前記ＩＣタグへ情報を書き込む場合、通信可能な前記ＩＣタグの検出を行い、検出した前記ＩＣタグのタグ識別情報と、記憶した前記タグ識別情報との照合を行い、前記タグ識別情報と一致する前記ＩＣタグが無い場合は、所定の態様で警告を行うことを特徴とする。
ここで、検出したＩＣタグの中に、事前に記憶したタグ識別情報と一致するタグ識別情報のＩＣタグが無い、ということは、次に処理対象とすべきＩＣタグが何らかの原因で、通信可能な状態に無い、ということである。そして、上記構成によれば、次に、処理対象とすべきＩＣタグが通信可能な状態にないことを適切に報知でき、かつ、ＩＣタグに想定していない誤った情報が書き込まれることを防止できる。
【０００７】
また、本発明は、前記制御部は、通信可能な前記ＩＣタグの検出を行い、１つの前記ＩＣタグが検出された場合に、当該１つのＩＣタグから前記タグ識別情報を読み出して記憶することを特徴とする。
ここで、１のＩＣタグに情報を書き込んだ後に、通信可能なＩＣタグの検出を行った場合において、通信可能なＩＣタグが１つの場合は、次に処理対象とすべきＩＣタグが、正常に通信可能な位置に位置しているということである。そして、上記構成によれば、このような正常な状態の場合に、タグ識別情報を読み出して記憶するため、誤ったタグ識別情報を記憶することを防止できる。
【０００８】
また、本発明は、前記制御部は、通信可能な前記ＩＣタグの検出を行い、前記ＩＣタグが検出されなかった場合、又は、２つ以上の前記ＩＣタグが検出された場合、所定の態様で警告を行うことを特徴とする。
ここで、１のＩＣタグに情報を書き込んだ後に、通信可能なＩＣタグの検出を行った場合において、通信可能なＩＣタグが１つもないか、又は、２以上存在する場合は、処理対象とすべきＩＣタグのほかに、装置の近傍にＩＣタグが存在する等、何らかのイレギュラーな状態である。そして、上記構成によれば、このようなイレギュラーな状態の場合には、警告を行うため、イレギュラーな状態であることを適切に報知でき、かつ、誤ったタグ識別情報を記憶してしまうことを防止できる。
【０００９】
また、本発明は、装着された前記媒体に搭載された前記ＩＣタグについて、情報の読み書き対象となっている前記ＩＣタグ以外の前記ＩＣタグには、前記情報読書部が送信する無線信号が受信されない構成となっていることを特徴とする。
この構成によれば、媒体処理装置の近傍に、何らかの原因で、書き込み済のＩＣタグが搭載された媒体が載置される等、イレギュラーな状態の場合にのみ、通信可能なＩＣタグが複数検出されることとなり、より高い実効性をもって、情報を書き込む対象ではないＩＣタグに、誤って情報が書き込まれることを防止できる。
【００１０】
また、上記目的を達成するために、本発明は、ＩＣタグが間隔を開けて連続して搭載された媒体が装着可能に構成され、無線通信により前記媒体のＩＣタグに情報を書き込み、また、前記ＩＣタグから情報を読み出す情報読書部と、前記媒体を搬送する搬送部と、を備える媒体処理装置の制御方法であって、前記ＩＣタグを前記情報読書部と通信可能な位置に搬送すると共に、当該ＩＣタグからタグ識別情報を読み出して記憶し、前記ＩＣタグへ情報を書き込む場合、通信可能な前記ＩＣタグの検出を行い、検出した前記ＩＣタグのタグ識別情報と、記憶した前記タグ識別情報との照合を行い、記憶した前記タグ識別情報と一致した前記ＩＣタグを、情報の書き込み対象とすることを特徴とする。
この制御方法によれば、次のＩＣタグへの情報の書き込みにあたり、通信可能なＩＣタグが複数検出された場合に、例えば、ユーザーがＩＣタグが複数検出された原因を究明した上で、複数検出された状態を解消してからＩＣタグへの情報の書き込みを開始する、といったことを行うことなく、タグ識別情報が一致するものを対象として、迅速に情報の書き込みを開始することが可能となり、円滑なＩＣタグへの情報の書き込みを実現できる。さらに、次のＩＣタグへの情報の書き込みにあたり、事前に記憶したタグ識別情報との照合を行うため、処理対象ではない誤ったＩＣタグに情報が書き込まれることを防止できる。
【００１１】
また、上記目的を達成するために、本発明は、ＩＣタグが間隔を開けて連続して搭載された媒体が装着可能に構成され、無線通信により前記媒体のＩＣタグに情報を書き込み、また、前記ＩＣタグから情報を読み出す情報読書部と、前記媒体を搬送する搬送部と、を備える媒体処理装置を制御する制御部により実行されるプログラムであって、前記制御部に、前記ＩＣタグを前記情報読書部と通信可能な位置に搬送させると共に、当該ＩＣタグからタグ識別情報を読み出させて記憶させ、前記ＩＣタグへ情報を書き込ませる場合、通信可能な前記ＩＣタグの検出を行わせ、検出させた前記ＩＣタグの前記タグ識別情報と、記憶させた前記タグ識別情報との照合を行わせ、記憶させた前記タグ識別情報と一致した前記ＩＣタグを、情報の書き込み対象とさせることを特徴とする。
このプログラムによれば、次のＩＣタグへの情報の書き込みにあたり、通信可能なＩＣタグが複数検出された場合に、例えば、ユーザーがＩＣタグが複数検出された原因を究明した上で、複数検出された状態を解消してからＩＣタグへの情報の書き込みを開始する、といったことを行うことなく、タグ識別情報が一致するものを対象として、迅速に情報の書き込みを開始することが可能となり、円滑なＩＣタグへの情報の書き込みを実現できる。さらに、次のＩＣタグへの情報の書き込みにあたり、事前に記憶したタグ識別情報との照合を行うため、処理対象ではない誤ったＩＣタグに情報が書き込まれることを防止できる。
【発明の効果】
【００１２】
本発明によれば、ＩＣタグに誤った情報が書き込まれることを防止した上で、円滑にＩＣタグへの情報の書き込みを行うことが可能となる。
【図面の簡単な説明】
【００１３】
【図１】本実施形態に係るプリンターの斜視図である。
【図２】カバーを開けた状態のプリンターの斜視図である。
【図３】プリンター本体の内部機構を示す説明図である。
【図４】プリンターの制御系の構成を示す機能ブロック図である。
【図５】プリンターの動作を示すフローチャートである。
【図６】プリンターの動作を示すフローチャートである。
【発明を実施するための形態】
【００１４】
以下、図面を参照して本発明の実施形態について説明する。
図１はプリンター１（媒体処理装置）の斜視図である。
本実施形態に係るプリンター１は、空港における航空会社のサービスカウンター等に設けられ、いわゆるバゲッジタグを発行するものである。プリンター１によって発行されるバゲッジタグは、ＩＣタグを搭載しており、このＩＣタグに、荷物（バゲッジ）を搭乗すべき飛行機の便の番号や、バゲッジタグを発行した日時等、予め定められた必要な情報が記録される。また、バゲッジタグの表面には、飛行機の便番号や、荷物の所有者の氏名等、予め定められた必要な情報が印刷される。
プリンター１は、印刷を実行するプリンター本体３にロール紙７（媒体）を供給する給紙装置２を備えて構成される。給紙装置２は、プリンター本体３に着脱可能に接続されるベース板４と、このベース板４に取り付けられている垂直支持板５と、垂直支持板５の上端側の部位に水平に取り付けられているロール紙支軸６とを備えている。ロール紙支軸６には、その先端側からロール紙７が装着される。ロール紙支軸６の先端部には、ロール紙支軸６に直交する方向にロール紙抜け止め用の抜け防止軸８が取り付けられている。また、ロール紙支軸６の根元側にはロール紙幅調整用の円盤状のスペーサー９が着脱可能に取り付けられており、幅の異なるロール紙を、手前側の側端を基準として装着可能となっている。
【００１５】
ロール紙７は、本実施形態では、空港において使用されるバゲッジタグ用のラベル用紙１０（媒体）を巻き取ったものである。ロール紙７は、一定幅の連続する長尺の台紙に、所定の長さのラベル用紙１０が配置されたものである。各ラベル用紙１０の先頭部分には所定の情報が書き込まれたＲＦＩＤタグ１０Ａ（ＩＣタグ）が貼付または埋設（搭載）されている。なお、ベース板４を連続用紙の一つであるファンフォールド紙のトレイとして利用することも可能である。この場合には、給紙装置２を、ロール紙７およびファンフォールド紙の双方に給紙する装置として用いることができる。
プリンター本体３は、全体として前後に長い直方体形状をしたプリンター本体ケース１１を備えている。プリンター本体ケース１１の上面には、開閉自在にカバー１６が設けられている。プリンター本体ケース１１の後端面１１ａ（図２参照）と、カバー１６の先端部との間には、用紙挿入口２６が形成されている。さらに、プリンター本体ケース１１の前端面１１ｂには、その上下方向の中程の位置に用紙排出口２８が形成されている。
【００１６】
図２はカバー１６を開けた状態のプリンター本体３を示す斜視図である。
図２に示すように、カバー１６を回動させて開くと上面開口部１３が露出する。また、プリンター本体ケース１１の右側の側面１４には、上面開口部１３から連続する側面開口部１５が形成される。
【００１７】
カバー１６は、図１に示す閉じ位置において上面開口部１３および側面開口部１５を封鎖する。カバー１６は、上面開口部１３を封鎖するカバー天板部分１７と、側面開口部１５を封鎖するカバー側板部分１８とを備えており、カバー天板部分１７におけるプリンター本体３の前側の端部を中心として、図１に示す閉じ位置から図２に示す全開位置まで開くことができる。カバー１６を開くと、プリンター本体ケース１１の内部に形成されているラベル用紙１０の搬送経路１９、及び搬送経路１９の上側に形成されている用紙溜まり部２０が開放状態となり、これらに対して、上面開口部１３及び側面開口部１５からアクセス可能になる。
【００１８】
搬送経路１９の幅方向の一方の側端、すなわちプリンター本体３の右側の側端は、図２に示すように、カバー側板部分１８の内側に形成されている第１用紙ガイド２１によって規定されている。また、幅方向の他方の側端は、搬送経路１９の底面を規定している底板２４に着脱可能に取り付けた第２用紙ガイド２２および第３用紙ガイド２３のいずれかによって規定される。第２用紙ガイド２２が取り付けられている場合には、第１用紙ガイド２１および第２用紙ガイド２２によって規定される幅のラベル用紙１０をガイド可能であり、第２用紙ガイド２２を外すと、第１用紙ガイド２１および第３用紙ガイド２３によって規定される広幅のラベル用紙１０をガイド可能になる。
【００１９】
用紙挿入口２６の内側には、プリンター本体ケース１１の側に下側ガイドローラー２７ａが取り付けられており、カバー１６側には、カバー１６が図１の閉じ位置にある場合に、下側ガイドローラー２７ａに対向する上側ガイドローラー２７ｂが取り付けられている。
プリンター本体３は、ＵＳＢケーブル２９を介して、後述するホストコンピューター５５（図４）に接続され、ホストコンピューター５５との間で印刷コマンドや印刷データを送受信する。
【００２０】
図３（Ａ）は、プリンター本体３の内部機構を示す説明図である。
プリンター本体３の内部機構は、プリンター本体ケース１１によって覆われている板金製の本体フレーム３０にプリンター本体３の構成部品が搭載された構成となっている。本体フレーム３０には上方に突出した左右の支持腕３１が形成されており、これらの支持腕３１の間にヒンジ軸３２が、プリンター本体ケース１１の幅方向に平行に架け渡されて、カバー１６がヒンジ軸３２の軸まわりに回動自在となっている。
【００２１】
プリンター本体３の内部においては、用紙溜まり部２０の前側の部位において、用紙挿入口２６よりも下方の位置にテンションローラー３６が幅方向に架け渡されている。また、用紙挿入口２６と用紙排出口２８との間には、テンションローラー３６、及びテンションローラー３６の前方に位置するプラテンローラー４２を経由するラベル用紙１０の搬送経路３９が形成されている。
搬送経路３９は、用紙挿入口２６に近い上流側の傾斜搬送経路３９Ａと、下流側の傾斜搬送経路３９Ｂと、さらに下流側において用紙排出口２８近傍の水平搬送経路３９Ｃとによって構成される。傾斜搬送経路３９Ａは、用紙挿入口２６から下向きに傾斜して延び、テンションローラー３６に至る経路である。また、傾斜搬送経路３９Ｂは、テンションローラー３６から下流側において上方に向けて傾斜して延び、プラテンローラー４２に達する経路である。傾斜搬送経路３９Ｂは、上下に対向して配置された用紙ガイド３７、３８によって形成される。また、水平搬送経路３９Ｃは、プラテンローラー４２から下流側すなわち前側に水平に延びて用紙排出口２８に繋がる経路である。
傾斜搬送経路３９Ｂには、ラベル用紙１０に印刷を行うサーマルヘッド４１が下向きに配置され、サーマルヘッド４１には下側からプラテンローラー４２が対向して配置されている。プラテンローラー４２は、サーマルヘッド４１の発熱面に押し付けて配置され、プラテンローラー４２の回転によってラベル用紙１０が搬送される。また、水平搬送経路３９Ｃ上には、用紙排出口２８の近傍にオートカッターユニット４３が配置されており、サーマルヘッド４１により印刷された印刷媒体（例えば、ラベル用紙１０）はオートカッターユニット４３により切断される。
【００２２】
ラベル用紙１０に印刷する場合、まず、カバー１６が開かれて、ユーザーの作業によって給紙装置２にセットされたラベル用紙１０が引き出されて、用紙挿入口２６から挿入される。このラベル用紙１０は、第１用紙ガイド２１と第２用紙ガイド２２あるいは第３用紙ガイド２３にガイドされながら、傾斜搬送経路３９Ａを通って、テンションローラー３６に導かれる。さらに、ラベル用紙１０は、テンションローラー３６から傾斜搬送経路３９Ｂに沿ってサーマルヘッド４１とプラテンローラー４２の間に搬送され、水平搬送経路３９Ｃを通って用紙排出口２８から引き出された状態にセットされる。ここで、カバー１６が閉じられると、ラベル用紙１０の先端がプラテンローラー４２とサーマルヘッド４１とに挟まれて搬送可能となる。
【００２３】
プリンター本体ケース１１内には、ＲＦＩＤタグ１０Ａに対してデータの書き込み及びデータの読み出しを行うタグ読書装置４６（情報読書部）が配置されている。タグ読書装置４６は、ＲＦＩＤタグ１０Ａに対して無線信号を送受信するアンテナ４４と、ＲＦ送受信回路４５とを備えている。アンテナ４４は、図３（Ａ）に示すように、傾斜搬送経路３９Ａ（搬送経路）に向けて設けられ、傾斜搬送経路３９Ａが、タグ読書装置４６によるデータの書き込み及びデータの読み出しが行われる読書位置となっている。すなわち、ラベル用紙１０に付されたＲＦＩＤタグ１０Ａが傾斜搬送経路３９Ａの範囲に位置している間に、タグ読書装置４６により、データの書込及びデータの読み取りが行われる。
【００２４】
ＲＦＩＤタグ１０Ａは、タグ読書装置４６等の外部の装置から送信される無線信号を受信するアンテナを備え、このアンテナに誘起される電力によりＩＣを駆動する受動型のＩＣタグである。本実施形態のタグ読書装置４６及びＲＦＩＤタグ１０Ａは、無線タグとして一般的なプロトコルに従って無線信号を送受信する。
すなわち、タグ読書装置４６は、ＲＦＩＤタグ１０Ａに対するデータの書き込み又はデータの読み出しを行う場合に、まず、所定周波数の搬送波を送信し、この搬送波に重畳して検出用信号を送信する。タグ読書装置４６が送信した搬送波によってＲＦＩＤタグ１０Ａのアンテナに起電力が誘起されると、この電力によりＲＦＩＤタグ１０ＡのＩＣがオンに切り替わり、検出用信号を受信して、この検出用信号に対して応答する信号を送信する。タグ読書装置４６は、ＲＦＩＤタグ１０Ａが送信した応答信号を受信すると、搬送波の出力を継続しながら、このＲＦＩＤタグ１０Ａをデータの書き込み及びデータの読み出しの対象として設定するとともに、データの書き込み及びデータの読み出しを開始する旨を通知する信号を送信する。その後は、タグ読書装置４６が搬送波の出力を継続しながら、タグ読書装置４６とＲＦＩＤタグ１０Ａとの間で無線信号が送受信され、ＲＦＩＤタグ１０Ａに記録されているデータの読み出し、及び、ＲＦＩＤタグ１０Ａが有するＩＣの書き換え可能な記憶領域に対し、データの書込が行われる。
【００２５】
図４はプリンター１の制御系の構成を示す機能ブロック図である。
プリンター１は、上述した各部の他、ホストコンピューター５５に接続される通信インターフェイス（Ｉ／Ｆ）５１と、プリンター１の各部を制御する制御部５４とを備えて構成される。通信インターフェイス５１は、例えばＵＳＢ規格に準拠したコネクターやインターフェイス回路等を備え、ホストコンピューター５５との間でコマンドや各種データを送受信する。
制御部５４は、通信インターフェイス５１を介してホストコンピューター５５との間でコマンドや各種データを送受信するとともに、サーマルヘッド４１、タグ読書装置４６、搬送部５２、及びオートカッターユニット４３の各部を制御する。搬送部５２は、プラテンローラー４２、プラテンローラー４２を駆動する搬送モーター（図示略）、及び、搬送モーターの駆動軸とプラテンローラー４２とを連結するギヤ等により構成される構成部である。
【００２６】
制御部５４は、ホストコンピューター５５から入力される印刷コマンドと印刷データに従って、搬送部５２を制御してラベル用紙１０を搬送させ、サーマルヘッド４１への通電を制御して、ラベル用紙１０に文字、画像、バーコード等を印刷させる。例えば、ラベル用紙１０がバゲッジタグとして使用される場合、ラベル用紙１０には、取扱航空会社、出発空港、行き先の空港、トランジットする空港、このバゲッジタグを発行したカウンター、対応する搭乗券の番号、搭乗便等の名称やコードが印刷される。
また、制御部５４は、搬送部５２を制御して、印刷対象のラベル用紙１０に付されているＲＦＩＤタグ１０Ａを傾斜搬送経路３９Ａ上に停止させる。
また、制御部５４は、タグ読書装置４６を制御して、ＲＦＩＤタグ１０Ａに対するデータ読み出し及びデータ書き込みを実行させる。より詳細には、タグ読書装置４６を制御して、ＲＦＩＤタグ１０ＡのＩＣが記憶しているデータを読み取り、続いて、ラベル用紙１０に印刷する内容に対応したデータをＲＦＩＤタグ１０ＡのＩＣに書き込む。例えば、本実施形態のようにラベル用紙１０がバゲッジタグとして使用される場合、取扱航空会社、出発空港、行き先の空港、トランジットする空港、このバゲッジタグを発行したカウンター、対応する搭乗券の番号、搭乗便等を示すデータをＲＦＩＤタグ１０Ａに書き込む。
また、制御部５４は、通信インターフェイス５１によりホストコンピューター５５との間のコマンド及びデータの送受信を実行する。
記憶部５７は、ＥＥＰＲＯＭ等の不揮発性メモリーを備え、各種データを書き換え可能に不揮発的に記憶する。
【００２７】
ここで、上述したとおり、タグ読書装置４６が搬送波の送信を開始すると、この搬送波を受信可能な範囲に位置する全てのＲＦＩＤタグ１０Ａがオンになり、応答信号を送信する。
これを踏まえ、本実施形態では、タグ読書装置４６が出力する搬送波の指向性を利用して、傾斜搬送経路３９Ａに対するアンテナ４４の位置を適切に設計する等して、ロール紙７に搭載されたＲＦＩＤタグ１０Ａについて、傾斜搬送経路３９Ａに位置するＲＦＩＤタグ１０Ａ以外のタグには、搬送波が受信されない構成となっている。
図３（Ｂ）は、ある１枚のラベル用紙１０の末端での切断が完了した直後の、プリンター１内におけるラベル用紙１０の状態を、説明に適した態様で表す図である。つまり、図３（Ｂ）は、次に処理対象となるラベル用紙１０（＝次に発行されるバゲッジタグに対応するラベル用紙１０）について、バゲッジタグの発行に係る処理が開始される前の状態を模式的に示している。
図３（Ｂ）に示すように、処理の開始前、ラベル用紙１０の先端位置は、オートカッターユニット４３の切断位置に対応する位置に位置しており、さらに、ラベル用紙１０のＲＦＩＤタグ１０Ａは、傾斜搬送経路３９Ａに位置した状態となる。これは、バゲッジタグに係るラベル用紙１０における先端位置からＲＦＩＤタグ１０Ａの離間距離が規格により定められおり、当該離間距離を踏まえて、処理の開始前は傾斜搬送経路３９ＡにＲＦＩＤタグ１０Ａが位置するように、傾斜搬送経路３９Ｂの長さや、その他の付随する部材、機構が設計されているからである。
このような構成のため、ある１のラベル用紙１０に対して、バゲッジタグの発行に係る各種処理を開始する場合において、上述した手段により、通信可能なＲＦＩＤタグ１０Ａの検出を行った場合、プリンター１の近傍に処理済のラベル用紙１０が載置される等のイレギュラーな状態とならない限り、処理対象となるラベル用紙１０のＲＦＩＤタグ１０Ａ（＝傾斜搬送経路３９Ａに位置するラベル用紙１０）のみが検出される。
【００２８】
以上のような構成の下、プリンター１は、以下のようにしてバゲッジタグを発行する（媒体に搭載されたＩＣタグに連続して情報を書き込む）。
ある１枚のバゲッジタグを発行する場合のプリンター１の基本的な動作について簡単に説明する。まず、制御部５４は、図３（Ｂ）に示す状態のラベル用紙１０について、搬送部５２と、サーマルヘッド４１とを制御して、ラベル用紙１０の搬送と、サーマルヘッド４１の駆動とを適切なタイミングで行い、処理対象となるラベル用紙１０の表面の適切な位置に所定の情報を印刷する。また、制御部５４は、ラベル用紙１０の搬送に伴って、適切なタイミングで、ＲＦＩＤタグ１０Ａと通信し、必要な情報を読み出し、また、必要な情報を書き込む。情報の読み書きに係る制御については、後に詳述する。このようにして、ラベル用紙１０の表面に必要な情報を印刷し、また、ＲＦＩＤタグ１０Ａに必要な情報を書き込んだ後、制御部５４は、搬送部５２を制御してロール紙７をさらに搬送し、処理対象となるラベル用紙１０の末端を、オートカッターユニット４３による切断位置に対応する位置まで搬送する。次いで、制御部５４は、オートカッターユニット４３を制御して、処理対象となるラベル用紙１０の末端を切断する。
以上により、ラベル用紙１０がロール紙７から切り離されて、１枚のバゲッジタグの発行が完了する。
【００２９】
ところで、バゲッジタグは、発行された後、顧客に渡されるものである。従って、顧客満足度の観点から、実際にバゲッジタグを発行する際には、スムーズに発行が完了することが求められる。一方で、バゲッジタグのＲＦＩＤタグ１０Ａには、飛行機の便番号等、バゲッジタグが取り付けられた荷物を適切に振り分けるための情報が記録されるため、情報の正確性が求められ、誤った情報が書き込まれることを防止しなければならない。
特に、本実施形態に係るプリンター１では、タグ読書装置４６が出力する搬送波の指向性を利用して、ロール紙７に搭載されたＲＦＩＤタグ１０Ａについて、傾斜搬送経路３９Ａ上のＲＦＩＤタグ１０Ａ以外のタグに搬送波が届かないようにしている構造上、例えば、処理済（情報を書き込み済）のバゲッジタグ等がプリンター１の非常に近傍に載置される等した場合に、当該バゲッジタグのＲＦＩＤタグ１０Ａが搬送波を受信可能な状態となってしまう場合がある。従って、このような場合があることを想定した上で、ＲＦＩＤタグ１０Ａに誤った情報が書き込まれることを防止し、書き込まれた情報の正確性を担保しなければならない。
以上を踏まえ、本実施形態に係るプリンター１は、以下の動作を実行する。
【００３０】
図５は、ある１のバゲッジタグの発行が完了した後の、プリンター１の動作を示すフローチャートである。
以下の説明において、制御部５４の機能は、ＣＰＵがプログラムを読み出して実行する等、ハードウェアとソフトウェアとの協働により実現される。
上述したとおり、プリンター１の制御部５４は、ラベル用紙１０の表面にサーマルヘッド４１によって必要な情報を印刷し、また、ＲＦＩＤタグ１０Ａにタグ読書装置４６によって必要な情報を書き込んだ後、ラベル用紙１０の末端を、オートカッターユニット４３による切断位置に対応する位置まで搬送し、当該末端を切断することにより、１のバゲッジタグの発行を完了させる（ステップＳＡ１）。そして、当該１のバゲッジタグの発行が完了した直後のプリンター本体３の内部におけるラベル用紙１０の状態は、図３（Ｂ）に示す状態となる。
次いで、制御部５４は、タグ読書装置４６を制御して、検出用信号を送信し、その応答信号の受信状況により、通信可能なＲＦＩＤタグ１０Ａを検出する検出処理を行う（ステップＳＡ２）。
次いで、制御部５４は、ステップＳＡ１の検出処理の結果、通信可能なＲＦＩＤタグ１０Ａが「１つ」であるか否か判別する（ステップＳＡ３）。
検出されたＲＦＩＤタグ１０Ａが「１つ」である場合、プリンター１は、以下の状態にある。すなわち、次に処理対象となるラベル用紙１０が、図３（Ｂ）に示す正常な位置に位置しており、かつ、プリンター１の近傍に通信可能なＲＦＩＤタグ１０Ａが存在しない状態である。
これを踏まえ、検出されたＲＦＩＤタグ１０Ａが「１つ」である場合（ステップＳＡ３：ＹＥＳ）、制御部５４は、タグ読書装置４６を制御して、検出されたＲＦＩＤタグ１０Ａと通信し、ＲＦＩＤタグ１０Ａに一意に付与されたタグ識別情報を読み出し（ステップＳＡ４）、読み出したタグ識別情報を記憶部５７の所定の記憶領域に記憶する（ステップＳＡ５）。ここで、記憶されたタグ識別情報は、次に処理対象とすべきラベル用紙１０のＲＦＩＤタグ１０Ａのタグ識別情報である。
なお、タグ識別情報は、全てのＲＦＩＤタグ１０Ａについて、所定の規格に準拠して、ＲＦＩＤタグ１０Ａのメモリーにおける特定の記憶領域に格納されており、制御部５４は、所定のプロトコルに従った通信により、当該タグ識別情報を取得可能である。
【００３１】
一方、ステップＳＡ３において、検出されたＲＦＩＤタグ１０Ａが「１つ」ではない場合は、以下の状態が想定される。すなわち、検出されたＲＦＩＤタグ１０Ａが「０個」の場合、何らかの原因で次に処理対象となるラベル用紙１０が図３（Ｂ）に示す正常な位置に位置していないか、又は、次に処理対象となるラベル用紙１０が図３（Ｂ）に示す正常な位置に位置しているものの、当該ラベル用紙１０のＲＦＩＤタグ１０Ａが壊れており、タグ読書装置４６と通信できない状態が想定される。また、検出されたＲＦＩＤタグ１０Ａが「２つ」以上の場合、プリンター１の近傍に、発行済のバゲッジタグ等が載置され、通信可能なＲＦＩＤタグ１０Ａが複数存在していることが想定される。このように、検出されたＲＦＩＤタグ１０Ａが「１つ」ではない場合は、次に処理対象とすべきラベル用紙１０のＲＦＩＤタグ１０Ａが存在しないか、又は、１つに特定できないため、次に処理対象とすべきラベル用紙１０のＲＦＩＤタグ１０Ａのタグ識別情報を取得することは適切ではない。
以上を踏まえ、ステップＳＡ３において、検出されたＲＦＩＤタグ１０Ａが「１つ」ではない場合（ステップＳＡ３：ＮＯ）、制御部５４は、その旨警告し、処理を一時停止する（ステップＳＡ６）。警告は、例えば、ホストコンピューター５５に所定のデータを出力し、ホストコンピューター５５が備える表示パネルに、通信可能なＲＦＩＤタグ１０Ａが１つも検出されなかった旨を示す情報を表示したり、また、プリンター１自体がＬＥＤや、表示パネルを備えている場合は、ＬＥＤを所定の態様で点灯／消灯したり、表示パネルにその旨を示す情報を表示したりすることによって行われる。この点は、以下で行われる別のケースの警告も同様である。
ステップＳＡ３における警告により、ユーザーは、何らかのイレギュラーな状態が発生していることを迅速、かつ、確実に認識できる。そして、ユーザーは、原因を究明した上で、次に処理対象となるラベル用紙１０が正常な位置に位置し、かつ、プリンター１の近傍に処理済のバゲッジタグ等が存在しない状態を作り、処理対象となるラベル用紙１０のＲＦＩＤタグ１０Ａのみがタグ読書装置４６と通信できる状態とする。そして、ユーザーは、プリンター１に対して所定の指示を行い、プリンター１に、ＲＦＩＤタグ１０Ａからのタグ識別情報を読み出させ、及び、読み出させたタグ識別情報を記憶させる。
【００３２】
ここで、発明者らは、事前の調査、実験等により、バゲッジタグを発行する現場においては、ある１のバゲッジタグを発行した「直後」が、タグ読書装置４６と、次に処理対象となるラベル用紙１０のＲＦＩＤタグ１０Ａとのみが通信可能な正常な状態である可能性が最も高く、一方、１のバゲッジタグを発行した後、時間が経過するに従って、上記正常な状態が維持される可能性が低くなることを見出した。これは以下の理由によるものと考えられる。すなわち、バゲッジタグの発行は、プリンター１の周辺に存在するバゲッジタグや、未使用のロール紙７を整理した後に行われるのが通常であり、また、複数のＲＦＩＤタグ１０Ａが検出される状態等のイレギュラーな状態の場合は警告が出力されるように構成し、正常な状態となった後に行われるのが通常であるため、バゲッジタグの発行直後は、プリンター１の近傍に、想定していない他のＲＦＩＤタグ１０Ａが存在しない正常な状態である可能性が非常に高い。一方で、時間が経過するに従って、プリンター１の機能等を理解していない者が、発行済のバゲッジタグをプリンター１の近傍に載置してしまったり、プリンター１の位置が移動したりする等、意図せずに、プリンター１の近傍に通信可能なＲＦＩＤタグ１０Ａが存在する状態が現出する可能性が高くなる。
以上を踏まえ、本実施形態では、図５を用いて説明したとおり、１のバゲッジタグの発行が完了した直後に、通信可能なＲＦＩＤタグ１０Ａの検出を行うが（ステップＳＡ２）、当該検出においては、次に処理すべき正しいラベル用紙１０のＲＦＩＤタグ１０Ａのみが検出される可能性が非常に高い。従って、ステップＳＡ６の警告が行われることは、実際には、非常に少なく、処理効率という観点からも、本実施形態に係るプリンター１の構成は最適である。
【００３３】
図６は、ある１のバゲッジタグを発行した後、次のバゲッジタグを発行すべく、処理対象とすべきラベル用紙１０のＲＦＩＤタグ１０Ａに情報の書き込みを行う際のプリンター１の動作を示すフローチャートである。
図６のフローチャートが示す動作の前提として、図５のフローチャートに示す動作が正常に行われ、処理対象とすべきラベル用紙１０のＲＦＩＤタグ１０Ａのタグ識別情報が正常に読み出され、記憶されている状態であるものとする。
まず、プリンター１の制御部５４は、タグ読書装置４６を制御して、検出用信号を送信し、その応答信号の受信状況により、通信可能なＲＦＩＤタグ１０Ａを検出する検出処理を行う（ステップＳＢ１）。
次いで、制御部５４は、検出処理の結果、検出されたＲＦＩＤタグ１０Ａが「１つ」であるか否かを判別する（ステップＳＢ２）。「１つ」である場合（ステップＳＢ２：ＹＥＳ）、制御部５４は、タグ読書装置４６を制御して、検出された１つのＲＦＩＤタグ１０Ａからタグ識別情報を取得する（ステップＳＢ３）。次いで、制御部５４は、直近のバゲッジタグの発行の直後に読み出して記憶したタグ識別情報と、ステップＳＢ３で取得したタグ識別情報とを照合し（ステップＳＢ４）、これらタグ識別情報の値が一致するか否かを判別する（ステップＳＢ５）。
照合したタグ識別情報が一致する場合、プリンター１は、以下の状態にある。すなわち、直近のバゲッジタグの発行後、次に処理対象となるラベル用紙１０が、図３（Ｂ）に示す正常な状態に位置し、その状態が現時点まで維持され、かつ、プリンター１の近傍に他の通信可能なＲＦＩＤタグ１０Ａが存在しない状態である。この場合、ステップＳＢ１で検出された１つのＲＦＩＤタグ１０Ａは、処理対象とすべき正しいラベル用紙１０のＲＦＩＤタグ１０Ａである。
従って、照合したタグ識別情報が一致する場合（ステップＳＢ５：ＹＥＳ）、制御部５４は、検出された１つのＲＦＩＤタグ１０Ａを情報の書き込み対象として特定し（ステップＳＢ６）、当該ＲＦＩＤタグ１０Ａに情報を書き込む（ステップＳＢ７）。
一方で、照合したタグ識別情報が一致しない場合、プリンター１は、以下の状態にあるものと想定される。すなわち、直近のバゲッジタグの発行に伴って、処理対象とすべきラベル用紙１０のＲＦＩＤタグ１０Ａからタグ識別情報を読み出して記憶した後に、何らかの原因でラベル用紙１０が抜き取られた上で、新たなラベル用紙１０がプリンター１の内部にセットされ、又は、他のＲＦＩＤタグ１０Ａがプリンター１の近傍に載置された状態である。このような場合に、検出されたＲＦＩＤタグ１０Ａに情報を書き込むと、ＲＦＩＤタグ１０Ａに誤った情報が書き込まれる結果を生じる可能性がある。
これを踏まえ、照合したタグ識別情報が一致しない場合（ステップＳＢ５：ＮＯ）、制御部５４は、その旨警告する（ステップＳＢ８）。これにより、ユーザーは、タグ識別情報が一致せず、何らかのイレギュラーな状態となっていることを確実かつ迅速に把握できる。
【００３４】
さて、ステップＳＢ２において、検出されたＲＦＩＤタグ１０Ａが「１つ」ではないと判別した場合（ステップＳＢ２：ＮＯ）、制御部５４は、検出されたＲＦＩＤタグ１０Ａが「０個」であるか否かを判別する（ステップＳＢ９）。
「０個」である場合、プリンター１は、以下の状態にあるものと想定される。すなわち、直近のバゲッジタグの発行に伴って、処理対象とすべきラベル用紙１０のＲＦＩＤタグ１０Ａからタグ識別情報を読み出して記憶した後に、何らかの原因でラベル用紙１０が抜き取られ、かつ、他にＲＦＩＤタグ１０Ａがプリンター１の近傍に存在しない状態である。これを踏まえ、検出されたＲＦＩＤタグ１０Ａが「０個」である場合（ステップＳＢ９：ＹＥＳ）、制御部５４は、その旨警告する（ステップＳＢ１０）。これにより、ユーザーは、通信可能なＲＦＩＤタグ１０Ａが存在していないというイレギュラーな状態であることを確実かつ迅速に把握できる。
一方、ステップＳＢ９において、検出されたＲＦＩＤタグ１０Ａが「０個」ではないと判別した場合、換言すれば、検出されたＲＦＩＤタグ１０Ａが「２つ」以上である場合（ステップＳＢ９：ＮＯ）、制御部５４は、タグ読書装置４６を制御して、それぞれのＲＦＩＤタグ１０Ａと、順次、通信し、タグ識別情報の取得、及び、取得したタグ識別情報と事前に記憶したタグ識別情報との照合を、順次、実行する（ステップＳＢ１１）。制御部５４は、ステップＳＢ１１の照合において、取得したタグ識別情報の値と、事前に記憶したタグ識別情報の値とが一致するか否かを判別し（ステップＳＢ１２）、一致した場合（ステップＳＢ１２：ＹＥＳ）、照合を行っていないＲＦＩＤタグ１０Ａが残っていた場合であっても、タグ識別情報が一致したＲＦＩＤタグ１０Ａを情報の書き込み対象として特定し（ステップＳＢ１３）、当該ＲＦＩＤタグ１０Ａに情報を書き込む（ステップＳＢ１４）。
【００３５】
ここで、通信可能なＲＦＩＤタグ１０Ａが、複数、存在する場合において、複数のＲＦＩＤタグ１０Ａの中に、事前に記憶したタグ識別情報と一致するタグ識別情報を有するものがある場合、プリンター１は、以下の状態にあると想定される。すなわち、直近のバゲッジタグの発行後、次に処理対象となるラベル用紙１０が、図３（Ｂ）に示す正常な状態に位置し、その状態が現時点まで維持され、かつ、プリンター１の近傍に他の通信可能なＲＦＩＤタグ１０Ａが存在する状態である。この場合、直近のバゲッジタグの発行に応じて記憶したタグ識別情報と一致するタグ識別情報を有するＲＦＩＤタグ１０Ａが、プリンター１の内部に存在する処理対象とすべき正しいラベル用紙１０のＲＦＩＤタグ１０Ａである。
以上を踏まえ、本実施形態では、ＲＦＩＤタグ１０Ａの情報の書き込みの際に、通信可能なＲＦＩＤタグ１０Ａが、複数、検出された場合は、順次、タグ識別情報の照合を行い、照合が成功した場合は、照合が成功したＲＦＩＤタグ１０Ａが、情報を書き込む対象として特定し、情報の書き込みを実行する。
ここで、従来は、ＲＦＩＤタグ１０Ａへの情報の書き込みにあたり、通信可能なＲＦＩＤタグ１０Ａが複数検出された場合は、情報の書き込みを中止し、その旨の警告を行っていた。そして、当該警告を受けたユーザーは、ＲＦＩＤタグ１０Ａが複数検出された原因を究明した上で、複数検出された状態を解消し、正常な状態にしてから、プリンター１に所定の指示を行って、ＲＦＩＤタグ１０Ａへの書き込みを開始させていた。しかしながら、このような従来の手法では、実際のＲＦＩＤタグ１０Ａへの情報の書き込みを行う段階で、原因究明や、正常な状態へ戻す作業を行うため、ＲＦＩＤタグ１０Ａへの情報の書き込みが完了するまでに相当の時間を要し、バゲッジタグを渡すべき顧客を待たせてしまう可能性があった。一方で、本実施形態によれば、ＲＦＩＤタグ１０Ａが複数検出された場合であっても、事前に記憶したタグ識別情報を利用して、情報を書き込むべき正しいＲＦＩＤタグ１０Ａを特定可能とし、かつ、情報を書き込むべき正しいＲＦＩＤタグ１０Ａが特定できた場合は、自動で、情報の書き込みを行うため、バゲッジタグを渡すべき顧客を待たせてしまう可能性を低減でき、顧客満足度の向上に繋がる。
【００３６】
一方、検出された複数のＲＦＩＤタグ１０Ａの全てについて、タグ識別情報の照合が成功しなかった場合、プリンター１は、以下の状態にあるものと想定される。すなわち、直近のバゲッジタグの発行に伴って、処理対象とすべきラベル用紙１０のＲＦＩＤタグ１０Ａからタグ識別情報を読み出して記憶した後に、何らかの原因でラベル用紙１０が抜き取られ、かつ、他の複数のＲＦＩＤタグ１０Ａがプリンター１の近傍に存在している状態である。
これを踏まえ、検出された複数のＲＦＩＤタグ１０Ａの全てについて、タグ識別情報の照合が成功しなかった場合（ステップＳＢ１２：ＮＯ）、制御部５４は、その旨警告する（ステップＳＢ１５）。これにより、ユーザーは、タグ識別情報の照合が成功するものが存在しないというイレギュラーな状態であることを確実かつ迅速に把握できる。
【００３７】
以上説明したように、本実施形態に係るプリンター１は、ＲＦＩＤタグ１０Ａが間隔を開けて連続して搭載されたロール紙７が装着可能に構成されており、無線通信によりＲＦＩＤタグ１０Ａに情報を書き込み、また、ＲＦＩＤタグ１０Ａから情報を読み出すタグ読書装置４６と、ロール紙７を搬送する搬送部５２と、タグ読書装置４６、及び、搬送部５２を制御して、ロール紙７を搬送しつつ、ロール紙７に搭載されたＲＦＩＤタグ１０Ａに連続して情報を書き込む制御部５４と、を備えている。そして、制御部５４は、１のＲＦＩＤタグ１０Ａに情報を書き込んだ後、次のＲＦＩＤタグ１０Ａをタグ読書装置４６と通信可能な位置に搬送すると共に、当該次のＲＦＩＤタグ１０Ａからタグ識別情報を読み出して記憶する。一方で、制御部５４は、当該次のＲＦＩＤタグ１０Ａへ情報を書き込む場合、通信可能なＲＦＩＤタグ１０Ａの検出を行い、検出したＲＦＩＤタグ１０Ａのタグ識別情報と、記憶したタグ識別情報との照合を行い、タグ識別情報が一致したＲＦＩＤタグ１０Ａを、情報の書き込み対象とする。
この構成によれば、ＲＦＩＤタグ１０Ａへの情報の書き込みにあたり、通信可能なＲＦＩＤタグ１０Ａが複数検出された場合に、例えば、ユーザーがＲＦＩＤタグ１０Ａが複数検出された原因を究明した上で、複数検出された状態を解消してからＲＦＩＤタグ１０Ａへの情報の書き込みを開始する、といったことを行うことなく、タグ識別情報が一致するものを対象として、迅速に情報の書き込みを開始することが可能となり、円滑なＲＦＩＤタグ１０Ａへの情報の書き込みを実現できる。さらに、ＲＦＩＤタグ１０Ａへの情報の書き込みにあたり、事前に記憶したタグ識別情報との照合を行うため、処理対象ではない誤ったＩＣタグに情報が書き込まれることを防止できる。
【００３８】
また、本実施形態によれば、制御部５４は、ＲＦＩＤタグ１０Ａへ情報を書き込む場合、通信可能なＲＦＩＤタグ１０Ａの検出を行い、検出したＲＦＩＤタグ１０Ａのタグ識別情報と、記憶したタグ識別情報との照合を行い、タグ識別情報が一致するＲＦＩＤタグ１０Ａが無い場合は、所定の態様で警告を行う。
この構成によれば、次に、処理対象とすべきＲＦＩＤタグ１０Ａが通信可能な状態にないことを適切に報知でき、かつ、ＲＦＩＤタグ１０Ａに想定していない誤った情報が書き込まれることを防止できる。
【００３９】
また、本実施形態によれば、制御部５４は、１のバゲッジタグを発行した後（１のＩＣタグに情報を書き込んだ後）、通信可能なＲＦＩＤタグ１０Ａの検出を行い、１つのＲＦＩＤタグ１０Ａが検出された場合に、当該１つのＲＦＩＤタグ１０Ａからタグ識別情報を読み出して記憶する。
ここで、１のバゲッジタグを発行した後に、通信可能なＲＦＩＤタグ１０Ａの検出を行った場合において、通信可能なＲＦＩＤタグ１０Ａが１つの場合は、次に処理対象とすべきＲＦＩＤタグ１０Ａが、正常に通信可能な位置に位置しているということである。そして、上記構成によれば、このような正常な状態の場合に、タグ識別情報を読み出して記憶するため、誤ったタグ識別情報を記憶することを防止できる。
【００４０】
また、本実施形態では、制御部５４は、１のバゲッジタグを発行した後（１のＩＣタグに情報を書き込んだ後）、通信可能なＲＦＩＤタグ１０Ａの検出を行い、ＲＦＩＤタグ１０Ａが検出されなかった場合、又は、２つ以上のＲＦＩＤタグ１０Ａが検出された場合、所定の態様で警告を行う。
ここで、１のバゲッジタグを発行した後に、通信可能なＲＦＩＤタグ１０Ａの検出を行った場合において、通信可能なＲＦＩＤタグ１０Ａが１つもないか、又は、２以上存在する場合は、処理対象とすべきＲＦＩＤタグ１０Ａのほかに、プリンター１の近傍にＲＦＩＤタグ１０Ａが存在する等、何らかのイレギュラーな状態である。そして、上記構成によれば、このようなイレギュラーな状態の場合には、警告を行うため、イレギュラーな状態であることを適切に報知でき、かつ、誤ったタグ識別情報を記憶してしまうことを防止できる。
【００４１】
また、本実施形態に係るプリンター１は、装着されたロール紙７に搭載されたＲＦＩＤタグ１０Ａについて、傾斜搬送経路３９Ａ上のＲＦＩＤタグ１０Ａ（情報の読み書き対象となっているＲＦＩＤタグ１０Ａ）以外のタグには、タグ読書装置４６が送信する無線信号が受信されない構成となっている。
この構成によれば、プリンター１の近傍に、何らかの原因で、書き込み済のＲＦＩＤタグ１０Ａが搭載されたラベル用紙１０が載置される等、イレギュラーな状態の場合にのみ、通信可能なＲＦＩＤタグ１０Ａが、複数、検出されることとなり、より高い実効性をもって、情報を書き込む対象ではないＲＦＩＤタグ１０Ａに、誤って情報が書き込まれることを防止できる。
【００４２】
なお、上記実施形態は本発明を適用した好ましい一態様を例示したものであり、本発明はこれに限定されない。例えば、上記実施形態では、プリンター本体ケース１１の内部において、ラベル用紙１０が搬送される傾斜搬送経路３９Ａ、傾斜搬送経路３９Ｂ、及び水平搬送経路３９Ｃからなる搬送経路が設けられた構成を例に挙げて説明したが、ラベル用紙１０の搬送経路の傾斜、サーマルヘッド４１の配置、オートカッターユニット４３の配置等は任意である。また、タグ読書装置４６が備えるアンテナ４４は、ラベル用紙１０が搬送される経路を向けて配置されていればよく、例えば、用紙挿入口２６や用紙排出口２８の近傍に設置してもよいが、プリンター本体ケース１１の外への無線信号の漏洩を考慮すると、図３に示したようにプリンター本体ケース１１内の中央部に配置されることが好ましい。
また、ＲＦＩＤタグ１０Ａが搭載された媒体としてのラベル用紙１０を、ロール紙７としてプリンター本体３の近傍の給紙装置２にセットした構成に限定されず、例えばカット紙にＲＦＩＤタグ１０Ａを付した構成として、このカット紙をプリンター本体３の近傍に集積配置した構成とすることも可能であるし、プリンター本体３から離れた箇所にロール紙７をセットしてもよい。さらに、プリンター本体ケース１１とは別体としてタグ読書装置４６を配置してもよい。
また、プリンター１は、感熱紙としてのラベル用紙１０に印刷を行うサーマルヘッド４１を備えた構成に限定されず、インクジェット式プリンターであってもよいし、レーザープリンターやドットインパクトプリンター等に本発明を適用することも可能である。さらに、プリンター１に、エラーを報知するためのブザーや発光部、表示画面等を設けてもよく、その他の細部構成についても任意に変更可能であることは勿論である。
【符号の説明】
【００４３】
１…プリンター（媒体処理装置）、７…ロール紙（媒体）、１０…ラベル用紙（媒体）、４６…タグ読書装置（情報読書部）、５２…搬送部、５４…制御部。
【図１】
2014048771.tif 000003
【図２】
2014048771.tif 000004
【図３】
2014048771.tif 000005
【図４】
2014048771.tif 000006
【図５】
2014048771.tif 000007
【図６】
2014048771.tif 000008